(57)【要約】【課題】洗浄力をより強くするエリアを変動させることを可能にした洋風便器装置を提供する。【解決手段】洋風便器装置は、ボウル部内部に開口する吐出口１２ｂと、吐出口１２ｂより吐出する洗浄水を供給する複数の洗浄水供給路１２ｃと有し、複数の洗浄水供給路１２ｃから供給される洗浄水Ｗを合流させてから吐出口１２ｂより吐出して洗浄を行うボウル部内面洗浄手段を備えており、ボウル部内面洗浄手段は、複数の洗浄水供給路１２ｃへの供給水量を可変することで、吐出方向を可変させるようにしている。【選択図】図７
2010275856.tif 000002
【特許請求の範囲】
【請求項１】
ボウル部内面に洗浄水を吐出して洗浄を行う洋風便器装置であって、
上記ボウル部内部に開口する吐出口と、該吐出口より吐出する洗浄水を供給する複数の洗浄水供給路と有し、該複数の洗浄水供給路から供給される洗浄水を合流させてから上記吐出口より吐出して洗浄を行うボウル部内面洗浄手段を備えており、
該ボウル部内面洗浄手段は、上記複数の洗浄水供給路への供給水量を可変することで、吐出方向を可変させることを特徴とする洋風便器装置。
【請求項２】
請求項１において、
上記ボウル部内面洗浄手段は、タイマー手段を備えており、
上記タイマー手段を参照しながら、予め準備されたプログラムに基づいて、上記複数の洗浄水供給路へ供給する洗浄水の供給量を独立的あるいは同期的に可変制御するようにした自動洗浄モードの実行を可能としていることを特徴とする洋風便器装置。
【発明の詳細な説明】
【技術分野】
【０００１】
本発明は、水洗機能を有した洋風便器装置の改良に関するものである。
【背景技術】
【０００２】
従来の洋風便器装置には、ボウル部内を水洗洗浄するための洗浄水の吐出口を２つ設けたものがある（例えば特許文献１に記載）。
【０００３】
この種の洋風便器装置では、左右の吐出口より二股に分かれて吐出された洗浄水がボウル部内面でぶつかり合うため、ぶつかり合った洗浄水をボウル部内の全域に流し込ませることができ、洗浄性能の向上および節水化が図れる。
【０００４】
また、方向の異なる２つの水流がぶつかるため、水勢の強い水流の合流位置では特に高い洗浄力を有するが、上記文献に記載のものでは、パイプの長さ、つまり吐出口の位置を左右で異ならせたり、吐出口の開口形状を左右で異ならせたりしているため、そのような合流地点は、通常のものよりもずれた位置にすることができる。
【０００５】
したがって、例えば、吐出口を開口形状の異なるものに取り替え可能にしておけば、汚れの発生しやすい箇所を合流位置とするような吐出口を使用して、そのようなエリアを狙った効果的な洗浄が行える。また、開口形状の異なる複数の吐出口を準備し、これらを定期的に取り替えるようにすれば、合流位置はそのつど変化するため、ボウル部内を均一な状態に保持することもできる。
【先行技術文献】
【特許文献】
【０００６】
【特許文献１】特開２００１−２７１４０８号公報
【発明の概要】
【発明が解決しようとする課題】
【０００７】
ところが、上記文献のものでは、水流の合流位置を変化させるために、そのつどパイプや吐出口を交換しなければならないため、使用者には手間がかかるという問題がある。
【０００８】
また近年、便器未使用時にボウル部内の全エリアの清掃洗浄、乾燥などの一連の洗浄を行う自動洗浄モードを実行可能とした洋風便器装置も出現しているが、このようなものでは、自動洗浄モードでの清掃洗浄はボウル部内のあらゆるエリアを丹念にかつ均一に洗浄できるものが必要とされるため、上記の人手によって吐出口等を替えるものでは対応できない。
【０００９】
本発明は、このような事情を考慮して提案されたもので、その目的は、洗浄力をより強くするエリアを変動させることを可能にした洋風便器装置を提供することにある。
【課題を解決するための手段】
【００１０】
上記目的を達成するために２つの発明を提案している。いずれの本発明も、複数の水流の相互作用により目的を実現したもので、第１の本発明は吐出された複数の洗浄水の合流位置を可変させることで、第２の本発明は吐出口からの吐出方向を可変させることで、洗浄力をより強くした箇所（以下、強力洗浄エリアという）を変動させている。
【００１１】
第１の本発明の洋風便器装置は、ボウル部内面に洗浄水を吐出して洗浄を行う洋風便器装置であって、ボウル部内部に開口する複数の吐出口を有し、それらの吐出口からボウル部内に吐出させた洗浄水をボウル部内面で合流させて洗浄を行うボウル部内面洗浄手段を備えており、このボウル部内面洗浄手段は、吐出された洗浄水のボウル部内面での合流位置を可変させるようにしている。
【００１２】
第１の本発明の他の洋風便器装置では、ボウル部内面洗浄手段は、左、右に分離された一対の吐出口を有しており、それらから吐出する洗浄水の吐水量を可変することで合流位置を可変させる吐水量可変手段を備えていることを特徴とする。
【００１３】
第１の本発明のさらに他の洋風便器装置では、ボウル部内面洗浄手段は、上、下に分離された一対の吐出口を有しており、それらから吐出する洗浄水の吐水量を可変することで上記合流位置を可変させる吐水量可変手段を備えていることを特徴とする。
【００１４】
第１の本発明のさらに他の洋風便器装置では、ボウル部内面洗浄手段は、タイマー手段を備えており、自動洗浄モードの実行時には、タイマー手段を参照しながら、予め準備されたプログラムに基づいて、上、下あるいは左、右に分離された少なくとも一対の吐出口からの吐水量を独立的あるいは同期的に可変制御するようにしている。
【００１５】
第２の本発明である請求項１に記載の洋風便器装置は、ボウル部内面に洗浄水を吐出して洗浄を行う洋風便器装置であって、ボウル部内部に開口する吐出口と、この吐出口より吐出する洗浄水を供給する複数の洗浄水供給路と有し、複数の洗浄水供給路から供給される洗浄水を合流させてから吐出口より吐出して洗浄を行うボウル部内面洗浄手段を備えており、ボウル部内面洗浄手段は、複数の洗浄水供給路への供給水量を可変することで、吐出方向を可変させるようにしている。
【００１６】
請求項２に記載の第２の本発明では、ボウル部内面洗浄手段は、タイマー手段を備えており、タイマー手段を参照しながら、予め準備されたプログラムに基づいて、複数の洗浄水供給路へ供給する洗浄水の供給量を独立的あるいは同期的に可変制御するようにした自動洗浄モードの実行を可能としている。
【発明の効果】
【００１７】
第１の本発明によれば、複数の吐出口からの洗浄水の合流位置を可変にしているため、強力洗浄エリアを変化させることができる。そのため、例えば水洗のつど合流位置を変えるように制御すれば、強力洗浄エリアはそれに応じて移動していくため、ボウル部内を常に均一な状態に維持することができる。合流位置を変化させることは、複数の吐出口からの洗浄水の吐水量を可変することで実現できる。
【００１８】
また、ボウル部内面洗浄手段は、自動洗浄モードの実行時には、上、下あるいは左、右に分離された少なくとも一対の吐出口からの吐水量を独立的あるいは同期的に可変制御するようにしているため、自動洗浄モード実行中に強力洗浄エリアをダイナミックに変動させることができる。
【００１９】
他方、第２の本発明によれば、複数の洗浄水供給路への供給水量を可変することで、吐出口からの吐出方向を可変させるようにしているため、第１の本発明と同様、強力洗浄エリアを変化させることができる。そのため、例えば水洗のつど吐出方向を変えるように制御すれば、強力洗浄エリアはそれに応じて移動していくため、ボウル部内を常に均一な状態に維持することができる。
【００２０】
また、ボウル部内面洗浄手段は、自動洗浄モードの実行時には、複数の洗浄水供給路へ供給する洗浄水の供給量を独立的あるいは同期的に可変制御するようにしているため、自動洗浄モード実行中に強力洗浄エリアをダイナミックに変動させることができる。
【図面の簡単な説明】
【００２１】
【図１】（ａ）、（ｂ）は、第１の本発明の洋風便器装置の一実施形態における吐水量可変制御の態様の一例を示す便器本体の平面図。
【図２】第１の本発明の洋風便器装置の全体斜視図。
【図３】図２におけるＡ部の拡大図。
【図４】（ａ）〜（ｃ）は、第１の本発明の洋風便器装置の一実施形態における吐水量可変制御の態様の他例を示す便器本体の平面図。
【図５】第１の本発明装置の要部制御ブロック図。
【図６】（ａ）〜（ｃ）は、第１の本発明の洋風便器装置の他実施形態における水量可変制御の態様の一例を示す便器本体の縦断面図。
【図７】（ａ）、（ｂ）は、第２の本発明の洋風便器装置の実施形態における洗浄水供給部の模式説明図。
【図８】（ａ）は、図７（ａ）に示したノズル本体（吐出口）の設置位置を示した便器本体の模式縦断面図、（ｂ）は設置位置の他例を示した模式平面図。
【図９】（ａ）は、図７（ｂ）に示したノズル本体（吐出口）の設置位置を示した便器本体の模式縦断面図、（ｂ）は設置位置の他例を示した模式平面図。
【図１０】第２の本発明装置の要部制御ブロック図。
【発明を実施するための形態】
【００２２】
以下に、第１、第２の本発明の実施の形態について、添付図面を参照しながら説明する。
【００２３】
まず、第１の本発明の一実施形態について説明する。図２は本実施形態の洋風便器装置の一例を示した全体斜視図、図３は図２におけるＡ部の拡大図、図１、図４は同装置の説明図、図５は同装置の要部制御ブロック図である。
【００２４】
本実施形態の洋風便器装置１は、封水を貯留するボウル部３およびその周囲を囲んだスカート部４を含んで樹脂または陶器で形成された便器本体２と、ボウル部３の上端縁部に開閉自在に設置される便座５と、便座５を含む便器本体の上面をカバーする便蓋６と、便座５・便蓋６用の回動部７と、ボウル部３の内面を洗浄するためのボウル部内面洗浄手段１０とを基本構成として備えている。
【００２５】
ボウル部３の上端縁周回部には、ボウル部３内方に向き合うように水平に突出するリム部３ａが形成されている。このリム部３ａは、ボウル部３内方側を開放した洗浄水誘導路３ｂを、リム部３ａの下方に形成した、いわゆるオープンリムタイプに形成されている。
【００２６】
リム部３ａは、オープンリムタイプに限定されるものではないが、複数の吐出口１２ｂ、１２ｂからの水流をより強い水勢でもってぶつけ合うためには、誘導路３ｂを設けたオープンリムタイプとすることが望ましい。
【００２７】
ボウル部３の底部は、トラップ部８を介して汚水排水管（不図示）に連通しており、このトラップ部８によってボウル部３の底部に常時所定レベルの水が貯留される。ボウル部２の底部に貯留される貯留水は、汚水排水管からの汚臭が便器本体１内に流入するのを封止する封水として機能する。その他、局部洗浄手段や、便座加温手段、これらの制御機器等（いずれも不図示）が必要によって適宜装備される。
【００２８】
ボウル部内面洗浄手段１０は、便器本体２の後方に設置され洗浄水タンクあるいは上水道に連結された洗浄水供給部１２ａと、この洗浄水供給部１２ａから導出される洗浄水供給路１２ｃと、ボウル部３後方側で洗浄水供給路１２ｃの先端に形成されボウル部３内部に開口した吐出口１２ｂとを、それぞれ一対備えている。特に、一対の吐出口１２ｂ、１２ｂは、リム部３ａの下方に左、右に分離して設けられ、それぞれから吐出される洗浄水Ｗが左、右の誘導路３ｂ、３ｂを通って前方に流れ込むように配置されている。なお、洗浄水供給路１２ｃと吐出口１２ｂのみを一対設け、洗浄水供給部１２ａは共通のものとしてもよい。
【００２９】
この洗浄水供給部１２ａは、左右個別のものにするか、共通のものにするかによって構成は異なるが、ポンプ、モータ、制御弁（本実施形態では不図示。実施形態３では図７に図示）、シリンダ（不図示）などによって構成されることはいうまでもない。
【００３０】
図３に示すように、吐出口１２ｂより吐出される洗浄水Ｗは、誘導路３ｂを通ってボウル部３内の前方に流れ込むとともに、洗浄水Ｗの一部は、誘導路３ｂの途中でボウル部３の底部へと流れ落ちる。
【００３１】
このように、左、右の吐出口１２ｂ、１２ｂより吐出された洗浄水Ｗは、ボウル部３内の前方側で合流しぶつかり合い、ぶつかり合った洗浄水Ｗがボウル部３全体に流れるとともに、誘導路３ｂの途中でも洗浄水Ｗがボウル部３の底部へ流れ落ちるため、ボウル部３内面全体に洗浄水Ｗが行き渡る。
【００３２】
本実施形態においては、ボウル部内面洗浄手段１０は、左右の吐出口１２ｂ、１２ｂからの洗浄水Ｗの吐水量を可変にする吐水量可変手段１１を備えている（図５参照）。この吐水量可変手段１１は、ＣＰＵ、プログラムなどによって作動され、洗浄水供給部１２ａ、１２ａを制御することによって、左、右の吐出部１２ｂ、１２ｂから吐出される洗浄水Ｗの吐水量を可変させる構成となっている。
【００３３】
ここで、吐水量の可変の仕方として、左右ともに同じ吐水量に変化させる方法、左右の吐水量を異ならせるように変化させる方法がある。なお、左右の吐水量を異ならせる方法には、一方のみの吐水量を変化させる方法も含まれる。
【００３４】
図１は、左右ともに同じ吐水量に変化させる例を説明するための便器本体２の平面図である。
【００３５】
図１（ａ）では、左、右の吐出部１２ｂ、１２ｂから同一水量を吐出している状態を示しており、左右からの洗浄水Ｗの吐水量が同じであるため、両方の洗浄水Ｗは左右の誘導路３ｂを通り、ほぼ左右対称の水流となって、ボウル部３内の前方から底部に至る中央位置Ｘで合流する。
【００３６】
図１（ａ）の状態から、左右の吐水量を同一量に減らせば、両方の洗浄水Ｗの合流位置Ｘはボウル部内の後方側に移動する。吐水量の減じ方によっては、図１（ｂ）に示すように、左右の洗浄水Ｗは、ボウル部３内の前方側に到達することなく誘導路３ｂの途中で流れ落ちてしまい、底部に近い位置で合流する。つまり、この可変の仕方では、合流位置Ｘが前後に移動する。
【００３７】
また図４は、左右の吐水量を異ならせるように変化させる例を説明するための便器本体２の平面図である。
【００３８】
図４（ａ）では、左、右の吐出部１２ｂ、１２ｂから同一水量を吐出している状態を示しており、左右からの洗浄水Ｗの吐水量が同じであるため、両方の洗浄水Ｗはボウル部３内の前方から底部に至る中央位置Ｘで合流する。
【００３９】
図４（ａ）の状態から、左右の吐水量を異ならせるように変化させれば、両方の洗浄水Ｗの合流位置Ｘは、ボウル部３内の左右いずれかに移動する。例えば、右の吐出口１２ｂからの吐水量を減じれば、洗浄水Ｗの合流位置Ｘはボウル部３内の（後方から見て）右寄りの位置に移動する（図４（ｂ）参照）一方、左の吐出口１２ｂからの吐水量を減じれば、洗浄水Ｗの合流位置Ｘはボウル部３内の左寄りの位置に移動する（図４（ｃ）参照）。
【００４０】
以上のように、本実施形態では、吐水量可変手段１１を動作させることによって、左、右の吐出口１２ｂ、１２ｂからの吐水量を可変させているため、左右方向に分かれて吐出された洗浄水Ｗが合流する位置Ｘは、吐水量の変動にともない前後、左右に可変する。二股に分かれた水流が強い水勢でもってぶつかり合えば強力な洗浄力を形成するため、合流位置Ｘでは強力な洗浄力が生成されるが、そのような合流位置Ｘを可変させることにともなって、強力洗浄エリアも順次移動する。
【００４１】
例えば、水洗のつど、合流位置Ｘが図４（ａ）〜（ｃ）で示した位置Ｘやその他の位置に、サイクリックに変化するように制御すれば、強力洗浄エリアはそのつど移動するため、ボウル部３内面はもれなく強力な洗浄力によって洗浄され、均一な状態を維持することができる。
【００４２】
また、本発明装置１は自動洗浄モードの実行を可能としており、そのためにボウル部内面洗浄手段１０は、自動洗浄ボタン（自動洗浄操作部）１３、タイマー手段１４を備えている。
【００４３】
自動洗浄モードは、通常の水洗とは異なり便蓋６を閉めた状態で、自動洗浄ボタン１３が操作されたとき、あるいは所定時刻になったときなどに開始され、所定時間の清掃洗浄、乾燥が実行される。
【００４４】
自動洗浄モードでは、ボウル部３内の底部付近まで隅々を洗浄する必要があるため、モード実行中は常時、ボウル部３内の貯留水を排水させておくことが望ましく、そのために、容易に全排水状態を継続できるターントラップ式の排水手段を有することが望ましい。ターントラップ排水手段については、実施形態２の図６にて詳述する。
【００４５】
本実施形態では、洋風便器装置１は、自動洗浄ボタン１３などにより自動洗浄モードの指令があったときに、タイマー手段１４を参照しながら、予め準備されたプログラムに基づいて、左、右に分離された吐出口１２ｂ、１２ｂからの吐水量を独立的あるいは同期的に可変制御するようにして、清掃洗浄を実行するようにしている。つまり、自動洗浄モードでは、例えば、一定時間ごとに図１（ａ）、（ｂ）、図４（ａ）〜（ｃ）の各状態に順次自動的に変化させ、強力洗浄エリアを移動させながら、ボウル部３内をもれなく強力に洗浄することを可能としている。
【００４６】
ついで、第１の本発明の他の実施形態について説明する。本実施形態の洋風便器装置は、洗浄水の吐出口１２ｂ、１２ｂを上、下に分離させて備えている。図６は同装置の説明図であり、（ａ）〜（ｃ）各図は、洗浄水の合流位置Ｘが異なる状態の３例を示している。なお、本実施形態においては、平面図に代えて図６の洋風便器装置の概略縦断面図にて吐水量の変化について説明している。また、装置の全体斜視図および要部制御ブロック図については図示を省略する。
【００４７】
本実施形態の洋風便器装置１は、ボウル部３とスカート部４を含んで樹脂または陶器で形成された便器本体２、便座、便蓋、便座・便蓋用の回動部（以上は、本実施形態では不図示）、ボウル部３の内面を洗浄するためのボウル部内面洗浄手段１０とを基本構成として備えている。
【００４８】
ボウル部内面洗浄手段１０は、便器本体２の後方に設置され洗浄水タンクあるいは上水道に連結された洗浄水供給部１２ａと、この洗浄水供給部１２ａから導出される洗浄水供給路１２ｃと、ボウル部３後方側で洗浄水供給路１２ｃの先端に形成されボウル部３内部に開口した吐出口１２ｂとを、それぞれ一対備えている。
【００４９】
特に、一対の吐出口１２ｂ、１２ｂは、左右のリム部３ａの少なくとも一方の下方側に上、下に分離して設けられ、それぞれから吐出される洗浄水Ｗが洗浄水誘導路３ｂやボウル部３内面に沿ってボウル部３内の前方側に流れ込むように配置されている。また、吐出口１２ｂ、１２ｂは左右両方に２対を設けてもよい。
【００５０】
図６に示した例では、上の吐出口１２ｂは洗浄水誘導路３ｂに通じる高さに、下の吐出口１２ｂは誘導路３ｂより下方側のボウル部３の内壁面に通じる箇所に設けられている。
【００５１】
また本装置１は、排水手段としてターントラップ水洗手段２０を備えている。このターントラップ水洗手段２０は、トラップ部２１と駆動機構２２とを含んで構成され、トラップ部２１は、ボウル部３の底部より連通された排出管３ｃに連結され、蛇腹構造により屈曲柔軟性を有するトラップホース２１ａと、トラップホース２１ａの先端に取り付けて密着される終端部材２１ｂとよりなり、駆動機構２２は、終端部材２１ｂに取り付けられ、モータ（不図示）の駆動により回転される回転軸部２２ａと、この回転軸部２２ａの回転を伝えるアーム部材２２ｂとを含んで構成される。このターントラップ水洗手段２０によって、便器の未使用時にはトラップ部２１の先端開口を上に向けるためボウル部３の底部に常時所定レベルの水が貯留され、水洗（洗浄）時あるいは清掃洗浄時にはトラップ部２１の先端開口を回転して下に向けるためボウル部内の貯留水が排水される。
【００５２】
図６（ａ）〜（ｃ）には、上、下の吐出口１２ｂ、１２ｂからの洗浄水Ｗの吐水量を種々、変化させたものを示している。種々の吐水量に変化させることで、合流位置Ｘはそれに応じた位置に変化し、合流位置Ｘが可変することにともなって強力洗浄エリアも移動する。
【００５３】
水洗のつど、合流位置が図６（ａ）〜（ｃ）で示した位置Ｘやその他の位置に、サイクリックに変化するように制御すれば、強力洗浄エリアはそれに応じて移動するため、ボウル部３内面はもれなく強力な洗浄力によって洗浄され、均一な状態を維持することができる。
【００５４】
また、自動洗浄モードでは、例えば、一定時間ごとに図６（ａ）〜（ｃ）の各状態に順次変化させれば、強力洗浄エリアも順次移動するため、ボウル部３内をもれなく強力に洗浄することができる。
【００５５】
自動洗浄モードでは、ボウル部３内を隅々まで洗浄するため、モード実行中は常時、蛇腹式のトラップ部２１の先端開口を下に向けて全排水状態を維持しておくことが望ましい。
【００５６】
最後に、第２の本発明の一実施形態について説明する。図７〜図９は本実施形態の洋風便器装置のボウル部内面洗浄手段を説明するための模式図、図１０は同装置の要部制御ブロック図である。
【００５７】
本実施形態では、ボウル部内面洗浄手段１０は、便器本体２の後方に設置され洗浄水タンクあるいは上水道に連結され、ポンプ１２３、モータ１２２、制御弁１２１、シリンダ（不図示）などによって構成された洗浄水供給部１２ａと、この洗浄水供給部から導出される２つの洗浄水供給路１２ｃ、１２ｃと、ボウル部３後方側で、２つの洗浄水供給路１２ｃ、１２ｃを通過した洗浄水Ｗを上下より合流させてボウル部３内部に吐出させるように開口した吐出口１２ｂとを備えている。図中の９は、吐出口１２ｂを形成したノズル本体を示しており、ノズル本体９は、上の洗浄水供給路１２ｃの一部を構成する流路９ａと、下の洗浄水供給路１２ｃの一部を構成する流路９ｂと、それらが吐出口１２ｂの手前で合流するようにした合流部９ｃとを備えている（図７（ａ）、（ｂ）参照）。
【００５８】
図８（ａ）は、ノズル本体９の設置位置を示した模式縦断面図である。このように、２つの流路９ａ、９ｂが上下（垂直方向）に位置するものに限られず、図８（ｂ）に示すように左右（水平方向）に位置するように配設されてもよい。以下には、垂直方向に設置した場合について説明する。なお図８では、ボウル部内面洗浄手段１０のうち吐出口１２ｂを形成したノズル本体９のみを図示しているが、他の構成部分（洗浄水供給部１２ａ、洗浄水供給部１２ｂなど）については図示を省略している。
【００５９】
ノズル本体９（吐出口１２ｂ）は、左、右のリム部３ａ、３ａ（実施形態１の図２、３等参照）の少なくとも一方の下方側に設けられ、それぞれから吐出される洗浄水Ｗが洗浄水誘導路３ｂ（図２、３等参照）やボウル部３内面に沿ってボウル部３内の前方側に流れ込むように配置されている。また、吐出口１２ｂは左右両方に１対を設けてもよい。
【００６０】
本実施形態においては、ボウル部内面洗浄手段１０は、２つの洗浄水供給路１２ｃ、１２ｃに供給する供給水量を可変する供給水量可変手段１５を備えている（図１０参照）。この供給水量可変手段１５は、ＣＰＵ、プログラムなどによって作動され、洗浄水供給部１２ａを制御することによって、２つの洗浄水供給路１２ｃ、１２ｃへ供給する洗浄水Ｗの水量を可変させている。
【００６１】
供給水量を可変させるには、両方への供給水量を異ならせるように変化させればよく、一方の供給路１２ｃのみへ水量を変えずに洗浄水Ｗの供給を継続し、他方の供給路１２ｃへの洗浄水Ｗの供給を止めるように変化させてもよい。
【００６２】
図７（ａ）、図８（ａ）に示すものでは、上の洗浄水供給路１２ｃを通ってきた洗浄水Ｗはノズル本体９内の流路９ａを通って合流部９ｃへ流れる一方、下の洗浄水供給路１２ｃを通ってきた洗浄水Ｗは流路９ｂを通って合流部９ｃへ流れ、両方の洗浄水Ｗは合流部９ｃで合流しぶつかり合って、洗浄水Ｗは吐出口１２ｂからａ〜ｃのいずれかの方向へ吐出される。各供給路１２ｃへの供給水量は、供給水量可変手段１５によって可変することができ、それによって吐出口１２ｂからの吐出方向を可変させることができる。
【００６３】
すなわち、吐出口１２ｂからの洗浄水Ｗは、上、下供給路１２ｃ、１２ｃへの洗浄水Ｗを同一の供給水量とすれば水平方向ｂへ、下の供給水量が上よりも多い場合には下からの水勢が上からの水勢に勝るため方向ａへ、上の供給水量が下よりも多い場合には下からの水勢が上からの水勢に勝るため方向ｃへ向って吐出される。
【００６４】
また図８（ｂ）に示すように、流路９ａ、９ｂが水平になるようノズル本体９を設置してもよく、その場合にはボウル部３後方の中央位置に設ければ、洗浄水Ｗをボウル部３後方から右ａ、中央ｂ、左ｃの方向に可変させて吐出させることができる。
【００６５】
また、図７（ｂ）、図９（ａ）に示すものでは、制御弁１２１の制御により、下の洗浄水供給路１２ｃのみに洗浄水Ｗを供給すれば、洗浄水Ｗは水平方向ｄへ吐出されるが、両方の供給路１２ｃ、１２ｃに洗浄水Ｗを供給したときには、両方の水流が合流部９ｃで合流するため洗浄水Ｗは方向ｅへ吐出される。
【００６６】
また図９（ｂ）に示すように、流路９ａ、９ｂが水平になるようノズル本体９を設置してもよく、その場合には左右のリム部３ａの下方に設ければ、洗浄水Ｗを、ボウル部内の左右でそれぞれ、ｄ、ｅの２方向に可変させて吐出させることができる。なお図９では、ボウル部内面洗浄手段１０のうち吐出口１２ｂを形成したノズル本体９のみを図示しているが、他の構成部分（洗浄水供給部１２ａ、洗浄水供給路１２ｃなど）については図示を省略している。
【００６７】
以上のように、本実施形態に示した発明装置では、複数の洗浄水供給路１２ｃ、１２ｃへの供給水量を可変することで、吐出口１２ｂからの吐出方向を可変させるようにしているため、例えば水洗のつど吐出方向を変えるように制御すれば、強力洗浄エリアはそのつど変化し、ボウル部３内を均一な状態に保持することができる。
【００６８】
なお、両方の供給路１２ｃ、１２ｃへの供給水量を同一量になるように変化させた場合には、水勢が変化するだけで吐出口１２ｂからの吐出方向の変化はないが、洗浄水Ｗの到達する位置が変動するため、強力洗浄エリアは変動し、そのため一定の効果が期待できる。
【００６９】
また、自動洗浄モードの実行では、自動洗浄ボタン（操作部）１３などの指令により自動洗浄モードが開始されると、タイマー手段１４を参照しながら、予め準備されたプログラムに基づいて、２つの洗浄水供給路１２ｃ、１２ｃへの供給水量を独立的あるいは同期的に可変制御するようにして、清掃洗浄を実行するようにしている。つまり、自動洗浄モードでは、例えば、一定時間ごとに図７（ａ）に示した吐出方向ａ〜ｃを順次変化させれば、ボウル部３内の種々のエリアに強力な洗浄水を送り込むことができ、ボウル部３内をもれなく清掃洗浄することができる。
【符号の説明】
【００７０】
１      洋風便器装置
２      便器本体
３      ボウル部
３ａ      リム部
３ｂ      洗浄水誘導路
４      スカート部
５      便座
６      便蓋
Ｗ      洗浄水
１０      ボウル部内面洗浄手段（第１の本発明）
１１      吐水量可変手段
１２ａ      洗浄水供給部
１２ｂ      吐出口
１２ｃ      洗浄水供給路
１４      タイマー手段
Ｘ      合流位置
２０      ターントラップ水洗手段
１０        ボウル部内面洗浄手段（第２の本発明）
１５      供給水量可変手段
１２ａ      洗浄水供給部
１２ｂ      吐出口
１２ｃ      洗浄水供給路
１４      タイマー手段
９      ノズル本体
９ｃ      合流部
【図１】
2010275856.tif 000003
【図２】
2010275856.tif 000004
【図３】
2010275856.tif 000005
【図４】
2010275856.tif 000006
【図５】
2010275856.tif 000007
【図６】
2010275856.tif 000008
【図７】
2010275856.tif 000009
【図８】
2010275856.tif 000010
【図９】
2010275856.tif 000011
【図１０】
2010275856.tif 000012